(57)【要約】【課題】複数の波長の光を使用する光ピックアップ装置において、対物レンズに円偏光させた光を送りつつ、薄型化、小型化を実現する。【解決手段】ＣＤ・ＤＶＤレーザダイオード２と、ＢＤレーザダイオード１と、ＣＤ・ＤＶＤ波長の光を集光するＣＤ・ＤＶＤ対物レンズ６と、ＢＤ波長の光を集光するＢＤ対物レンズ７と、ＣＤ・ＤＶＤ波長の光を反射するとともにＢＤ波長の光を透過する波長板一体型反射板３と、ＢＤ波長の光を反射するＢＤレーザ反射板４とを備える。さらに、波長板一体型反射板３の光が照射される面に、ＣＤ・ＤＶＤ波長の光に対して１／８波長の位相差を与えるとともにＢＤ波長の光に対して１／４波長の位相差を与える波長板を備える。また、波長板を透過したＣＤ・ＤＶＤ波長の光が、再度波長板を透過するように波長板一体型反射板３にＣＤ・ＤＶＤ波長の光を反射させる反射膜を備える。【選択図】図１
2011134408.tif 000002
【特許請求の範囲】
【請求項１】
所定の波長の光である第１の光を照射する第１の光源と、前記第１の光より短い波長の光である第２の光を照射する第２の光源と、前記第１の光を集光する第１の対物レンズと、
前記第２の光を集光する第２の対物レンズと、前記第１の光を前記第１の対物レンズに向けて反射するとともに前記第２の光を透過する第１の立上げミラーと、前記第１の立上げミラーを透過した前記第２の光を前記第２の対物レンズに向けて反射する第２の立上げミラーとを備えた光ピックアップ装置において、
前記第１の立上げミラーの前記第１の光と前記第２の光とが照射される面に、前記第１の光に対して１／８波長の位相差を与えるとともに前記第２の光に対して１／４波長の位相差を与える波長板を備え、
前記波長板を透過した前記第１の光が、再度前記波長板を透過するように前記第１の立上げミラーに前記第１の光を反射させる反射膜を備えた光ピックアップ装置。
【請求項２】
前記波長板は、光配向樹脂を基板に塗布することで光配向膜を形成し、前記光配向膜上に液晶樹脂を塗布することにより形成されたものである請求項１に記載の光ピックアップ装置。
【請求項３】
前記波長板は、光配向樹脂または液晶樹脂の少なくとも一つをスピンコートにより基板に塗布することにより形成されたものである請求項２に記載の光ピックアップ装置。
【発明の詳細な説明】
【技術分野】
【０００１】
本発明は、コンパクトディスク（ＣＤ）、ディジタルバーサタイルディスク（ＤＶＤ）などの光ディスクと、ブルーレイディスク（ＢＤ）の双方の記録再生に使用される光ピックアップ装置に関する。
【背景技術】
【０００２】
光ディスクについて記録再生を行う光ピックアップ装置において、従来は、中心波長８００ｎｍのＣＤ用赤外レーザや中心波長６５０ｎｍのＤＶＤ用赤色レーザなどを出射するレーザダイオードが用いられてきた。近年では、中心波長４０５ｎｍのＢＤ用レーザを用いて高密度記録を行う光ピックアップ装置が実用化されている。また、ＢＤ用光ピックアップ装置を備えた光ディスク装置の市場が拡大している。
【０００３】
しかし、ＢＤとＣＤ、ＤＶＤとが並存している段階では、同じ光ディスク装置で、波長の異なる複数の種類の光ディスクを記録再生可能であることが要請されている。
【０００４】
ＣＤ、ＤＶＤ用のレーザとＢＤ用のレーザとでは、光ディスクの記録面に集光するスポットの径が異なる。また、波長により対物レンズなどの光学部材の屈折率が異なるため、同一の光学系をそのまま共用することはできない。そこで、波長に応じた別々の光学系が設定されることにより、複数の種類の光ディスクに対する記録再生が実現されている。
【０００５】
しかしながら、小型化、軽量化、薄型化が一層求められているノートブック型パソコンなどの電子機器に組み込まれる光ディスク装置の場合、従来のＣＤ、ＤＶＤ用の光ディスク装置と同程度のスペースの中に、ＢＤの記録再生機構を追加して収めなければならないという厳しい要求がある。しかし、ＢＤの記録再生のための光学系を従来の機構とは別個に狭いスペース内に設けることは困難である。
【０００６】
そこで、光学系の一部を共用して、省スペースを図ることが提案されている。
【０００７】
図４は、従来の光ピックアップ装置の光学系の基本的構成を示す概略図である。図４に示すように、従来の光ピックアップ装置においては、ＣＤまたはＤＶＤの記録・再生がなされる場合には、ＣＤ・ＤＶＤレーザダイオード４０１からＣＤ・ＤＶＤの記録・再生のための２波長のレーザが出射される。次に、ＣＤ・ＤＶＤ用の２波長のレーザの往路光が、光学部材４０２を透過する。さらに、ビームスプリッタ４０５を透過した往路光はＣＤ・ＤＶＤ反射板４０６によって反射され、光学部品４０７を透過して、ＣＤ・ＤＶＤ対物レンズ４０８に送られる。
【０００８】
ここで、光学部品４０７は、ＤＶＤおよびＣＤに対応可能なように必要な開口数を実現するための開口フィルタと、ＤＶＤ用の光に対して反応する偏光ホログラムと、往路光に対して、１／４波長の位相差を生じさせる１／４波長板とを有している。光学部品４０７によって円偏光に偏光され、ＣＤ・ＤＶＤ対物レンズ４０８によって集光された往路光は光ディスク４０９に照射される。光ディスク４０９から反射したＣＤ・ＤＶＤ用の復路光は、往路と同行程をたどり、光学部品４０７によって直線偏光に戻される。さらに、復路光は、ビームスプリッタ４０５を透過し、光学部材４０２によって反射され、受光検出素子４１３に受光される。
【０００９】
一方、ＢＤを記録・再生する場合には、ＢＤレーザダイオード４０３からＢＤ用レーザが出射される。次に、ＢＤ用レーザの往路光は、光学部材４０４を通過する。さらに、ビームスプリッタ４０５の反射面によって、往路光は反射される。次に、ＣＤ・ＤＶＤ反射板４０６を透過した往路光は、ＢＤレーザ反射板４１０によって反射され、光学部品４１１を透過して、ＢＤ対物レンズ４１２に送られる。
【００１０】
ここで光学部品４１１は、ＢＤ用の光に対して、１／４波長の位相差を生じさせる１／４波長板を有している。光学部品４１１によって円偏光に偏光され、ＢＤ対物レンズ４１２によって集光された往路光は光ディスク４０９に照射される。光ディスク４０９から反射したＢＤ用の復路光は、往路と同行程をたどり、光学部品４１１によって直線偏光に戻される。さらに、復路光は、ビームスプリッタ４０５の反射面によって反射され、光学部材４０４によって反射され、受光検出素子４１３に受光される。
【００１１】
この構成により、ＣＤ、ＤＶＤと、ＢＤに対応した光ディスクへの記録・再生が可能になる。
【００１２】
なお、ＣＤ、ＤＶＤ、ＢＤの各波長に対応した光ピックアップ装置は、例えば特許文献１に開示されている。
【先行技術文献】
【特許文献】
【００１３】
【特許文献１】特開２００９−１９９６７２号公報
【発明の概要】
【発明が解決しようとする課題】
【００１４】
従来の光ピックアップ装置においては、対物レンズに円偏光させた光を送るための１／４波長板が対物レンズの近傍に取付けられる。そのため、１／４波長板が、光ピックアップ装置の薄型化、小型化の制約になるという問題点があった。
【００１５】
本発明は、上記課題を解決するためになされたもので、例えばＢＤ、ＣＤのように複数の波長の光を使用する光ピックアップ装置において、対物レンズに円偏光させた光を送り、かつ、薄型化、小型化を実現できる光ピックアップ装置を提供することを目的とする。
【課題を解決するための手段】
【００１６】
本発明の光ピックアップ装置は、所定の波長の光である第１の光を照射する第１の光源と、第１の光より短い波長の光である第２の光を照射する第２の光源と、第１の光を集光する第１の対物レンズと、第２の光を集光する第２の対物レンズと、第１の光を第１の対物レンズに向けて反射するとともに第２の光を透過する第１の立上げミラーと、第１の立上げミラーを透過した第２の光を第２の対物レンズに向けて反射する第２の立上げミラーとを備える。さらに、第１の立上げミラーの第１の光と第２の光とが照射される面に、第１の光に対して１／８波長の位相差を与えるとともに第２の光に対して１／４波長の位相差を与える波長板を備える。また、波長板を透過した第１の光が、再度波長板を透過するように第１の立上げミラーに第１の光を反射させる反射膜を備える。
【００１７】
このような構成によれば、第１の光は１／８波長の位相差が与えられ、かつ、第１の立上げミラーの反射膜によって反射される。さらに、第１の光は、１／８波長の位相差が与えられた状態で、再度位相差膜を透過する。したがって、第１の光は１／４波長の位相差が与えられ、円偏光になる。さらに円偏光された第１の光は、第１の対物レンズに送られる。一方、第２の光は１／４波長の位相差が与えられ、円偏光になる。さらに円偏光された第２の光は、第２の立上げミラーの反射膜によって、第２の対物レンズに送られる。したがって、１／４波長板を対物レンズの近傍に取付けなくても、円偏光した光を対物レンズに送ることができる。
【００１８】
よって、例えばＢＤ、ＣＤのように複数の波長の光を使用する光ピックアップ装置において、対物レンズに円偏光させた光を送りつつ、薄型化、小型化を実現できる光ピックアップ装置を提供できる。
【００１９】
また、波長板は、光配向樹脂を基板に塗布することで光配向膜を形成し、光配向膜上に液晶樹脂を塗布することによって形成されたものであってもよい。
【００２０】
このような構成によれば、波長板の膜厚を均一化することができるので、波長板に発生する透過波面収差を低減させることができる。
【００２１】
また、波長板は、光配向樹脂または液晶樹脂の少なくとも一つをスピンコートにより基板に塗布することにより形成されたものであってもよい。
【００２２】
このような構成によれば、さらに波長板の膜厚を均一化することができるので、さらに、透過波面収差を低減させることができる。
【発明の効果】
【００２３】
本発明によれば、例えばＢＤ、ＣＤのように複数の波長の光を使用する光ピックアップ装置において、対物レンズに円偏光させた光を送り、かつ、薄型化、小型化を実現できる光ピックアップ装置を提供できる。
【図面の簡単な説明】
【００２４】
【図１】実施の形態における光ピックアップ装置の概略図
【図２】同コリメータレンズ以降の光路を説明する図
【図３】同位相差が発生する理由を説明する模式図
【図４】従来の光ピックアップ装置の概略図
【発明を実施するための形態】
【００２５】
（実施の形態）
［１．光ピックアップ装置１００の概要］
本実施の形態における光ピックアップ装置１００は、ＢＤ、ＤＶＤ、ＣＤそれぞれの光ディスクについて、記録・再生するための三つの波長のレーザダイオードを備えている。さらに、光ピックアップ装置１００は、三つの波長全てに所定の位相差を発生させる位相差膜である波長板を備えた偏光光学系の光路を有する。
【００２６】
［２．光ピックアップ装置１００の構成］
図１に示すように、光ピックアップ装置１００は、第１の光源としてのＣＤ・ＤＶＤレーザダイオード２と、第２の光源としてのＢＤレーザダイオード１を備える。さらに、波長板を備えた第１の立上げミラーとしての波長板一体型反射板３および第２の立上げミラーであるＢＤレーザ反射板４とを備える。さらに、第１の対物レンズであるＣＤ・ＤＶＤ対物レンズ６および第２の対物レンズであるＢＤ対物レンズ７を備える。
【００２７】
［３．波長板一体型反射板３の構成］
本発明は、波長板一体型反射板３の構造に特徴がある。図２に示すように、波長板一体型反射板３は、石英ガラス板などからなる基板３００の一方の面にＣＤ・ＤＶＤ波長の光に対して１／８波長の位相差を与える機能を持つ波長板３０２と無反射コート（図示せず）が形成される。また、波長板３０２は、ＢＤ波長の光に対して１／４波長の位相差を与える機能を有する。基板３００における波長板３０２が形成された面と反対側の面には反射膜であるダイクロ膜コート３０４が形成される。ダイクロ膜コート３０４によって、約４５°の入射角で基板３００側から入射したＣＤ・ＤＶＤ波長の光は、全反射される。また、ダイクロ膜コート３０４に約４５°の入射角で基板３００側から入射したＢＤ波長の光は、全透過する。
【００２８】
［４．光ピックアップ装置１００の動作］
図１および図２に示すように、ＣＤ・ＤＶＤレーザダイオード２から出射された中心波長８００ｎｍまたは中心波長６５０ｎｍの第１の光である直線偏光のＣＤ・ＤＶＤ往路光は、グレーティング素子８を透過し、板型ビームスプリッタ９によってビームスプリッタ１２の方向へ反射される。さらに、直線偏光は、ビームスプリッタ１２を透過し、コリメータレンズ５により平行光に変換される。
【００２９】
一方、ＢＤレーザダイオード１から出射された中心波長４０５ｎｍの第２の光である直線偏光のＢＤ往路光は、ビームスプリッタ１２により反射され、コリメータレンズ５により平行光に変換される。
【００３０】
上述のように、波長板一体型反射板３によって円偏光に偏光されたＣＤ・ＤＶＤ往路光は、ＣＤ・ＤＶＤ対物レンズ６によって集光され、光ディスク１３に照射される。続いて、ＣＤ・ＤＶＤ往路光は、光ディスク１３に形成されたピット状態に応じて反射され、ＣＤ・ＤＶＤ復路光となる。
【００３１】
一方、波長板一体型反射板３によって円偏光に偏光されたＢＤ往路光は、ＢＤレーザ反射板４により反射される。さらに、ＢＤ往路光は、ＢＤ対物レンズ７によって集光され、光ディスク１３に照射される。光ディスク１３に照射されたＢＤ往路光は、光ディスク１３に形成されたピット状態に応じて反射され、ＢＤ復路光となる。
【００３２】
次に、ＣＤ・ＤＶＤ復路光はＣＤ・ＤＶＤ対物レンズ６により平行光に変換される。さらに、ＣＤ・ＤＶＤ復路光は、波長板一体型反射板３で再度反射される。そのとき、円偏光のＣＤ・ＤＶＤ復路光は、往路と同様に波長板３０２を２回透過するため、往路とは偏光方向が９０°異なる直線偏光に偏光される。例えば、ＣＤ・ＤＶＤ往路光が紙面において上下方向の直線偏光の場合は、ＣＤ・ＤＶＤ復路光は紙面に対して垂直方向の直線偏光になる。
【００３３】
一方、ＢＤ復路光は、ＢＤ対物レンズ７により平行光に変換される。さらに、ＢＤ復路光は、ＢＤレーザ反射板４で反射され、波長板一体型反射板３に送られる。波長板一体型反射板３を透過することによって、円偏光のＢＤ復路光は、往路とは偏光方向が９０°異なる直線偏光となる。例えばＢＤ往路光が紙面に対して垂直方向の直線偏光の場合は、ＢＤ復路光は紙面において上下方向の直線偏光になる。
【００３４】
このように直線偏光に偏光されたＣＤ・ＤＶＤ復路光およびＢＤ復路光は、ビームスプリッタ１２と板型ビームスプリッタ９を透過する。そして、ＣＤ・ＤＶＤ復路光およびＢＤ復路光は、ホログラム素子１０によりサーボ信号用の回折光に変換される。さらに、受光検出素子１１により、ＣＤ・ＤＶＤ復路光およびＢＤ復路光の強度である出力信号およびＣＤ・ＤＶＤ復路光およびＢＤ復路光に含まれるサーボ信号が検出される。
【００３５】
［５．波長板一体型反射板３の作用］
図２に示すように、ＣＤ・ＤＶＤ往路光は、基板３００の一方の面に形成された波長板３０２を１回透過する。さらに、ＣＤ・ＤＶＤ往路光は、基板３００を透過する。さらに、ＣＤ・ＤＶＤ往路光は、ダイクロ膜コート３０４で反射され、再度、波長板３０２を透過する。
【００３６】
ここで、図３に示すように、ＣＤ波長（８００ｎｍ）に対する１／８波長板とは、複屈折がＣＤ波長の１／８である波長板である。ＣＤ波長の１／８波長板は、ＣＤ波長の光が２回通過することで、１／４波長の位相差を与える１／４波長板としての機能を有する。
【００３７】
また、ＢＤ波長（４０５ｎｍ）がＣＤ波長の約１／２なので、ＣＤ波長における１／８波長板は、ＢＤ波長においては１／４波長板として機能する。なお、ＤＶＤ波長（６５０ｎｍ）については、ＣＤ波長に近いため、１／４波長よりも若干位相差のズレが発生する。
【００３８】
このようにＣＤ・ＤＶＤ波長の直線偏光の光は、波長板３０２を２回透過することで、円偏光に偏光される。一方、ＢＤ波長の直線偏光の光は、波長板３０２を１回透過することで、円偏光に偏光される。
【００３９】
［６．波長板一体型反射板３の製造方法］
まず、基板３００の一方の面にダイクロ膜コート３０４がスパッタ法などにより形成される。ダイクロ膜コート３０４には、例えば、数種類の光学薄膜が積層されたものなどが用いられる。
【００４０】
次に、基板３００のダイクロ膜コート３０４が形成された面と反対側の面に、波長板３０２が形成される。例えば、波長板３０２は、以下のステップによって形成される。まず、第１のステップでは、光配向樹脂が基板３００に塗布される。次に、第２のステップでは、ホットプレートなどにより光配向樹脂が熱硬化される。このようにして、光配向膜が形成される。この段階において、光配向膜の配向は不均一である。次に、第３のステップでは、紫外線偏光露光装置などにより特定方向に偏光された紫外線が光配向膜に照射される。このようにして、一定の方向に配向させた光配向膜が形成される。次に、第４のステップでは、光配向膜上に、液晶樹脂のひとつである光硬化型液晶樹脂が塗布される。次に、第５のステップでは、ホットプレートなどにより光硬化型液晶樹脂が乾燥される。次に、第６のステップでは、紫外線照射装置などにより、光硬化型液晶樹脂に紫外線が照射される。このようにして、光硬化型液晶樹脂が硬化され、波長板３０２が形成される。
【００４１】
次に、波長板３０２の表面に入射角４５°におけるＣＤ、ＤＶＤ、ＢＤそれぞれの波長帯域での反射を抑制する無反射コートが形成される。
【００４２】
最後に、波長板３０２の光学軸方向から４５°に回転させた方向で、規定のサイズに切断されることにより、波長板一体型反射板３が完成する。
【００４３】
このように製造された波長板一体型反射板３の波長板３０２の膜厚制御が容易であり、波長板３０２に発生する透過波面収差が低減される。
【００４４】
さらに、光配向樹脂または液晶樹脂の少なくとも一つをスピンコートにより基板３００に塗布することにより波長板３０２を形成することが好ましい。
【００４５】
この場合、波長板３０２の膜厚制御がさらに容易であり、波長板３０２に発生する透過波面収差がさらに低減される。
【００４６】
［７．波長板３０２の実施例］
本実施の形態において、波長板３０２の液晶の膜厚を約１０００ｎｍとすることで、波長板３０２の複屈折＝９３ｎｍが得られた。
【００４７】
このとき、ＣＤ・ＤＶＤの位相差は、
【００４８】
【数１】
2011134408.tif 000003
【００４９】
を用いて求められる。一方、ＢＤの位相差は、
【００５０】
【数２】
2011134408.tif 000004
【００５１】
を用いて求められる。その結果、ＣＤの位相差は、８４°となり、ＤＶＤの位相差は、１０３°となる。一方、ＢＤの位相差は８４°となる。このように、波長板３０２は、ＣＤ・ＤＶＤ、ＢＤの各波長に対して１／４波長の位相差を与える。
【００５２】
なお、位相差の値は、波長板３０２における液晶の膜厚を制御することにより管理することができる。
【００５３】
［８．まとめ］
本実施の形態の光ピックアップ装置１００は、ＣＤ・ＤＶＤ波長の光を照射するＣＤ・ＤＶＤレーザダイオード２と、ＢＤ波長の光を照射するＢＤレーザダイオード１と、ＣＤ・ＤＶＤ波長の光を集光するＣＤ・ＤＶＤ対物レンズ６と、ＢＤ波長の光を集光するＢＤ対物レンズ７と、ＣＤ・ＤＶＤ波長の光をＣＤ・ＤＶＤ対物レンズ６に向けて反射するとともにＢＤ波長の光を透過する波長板一体型反射板３と、波長板一体型反射板３を透過したＢＤ波長の光をＢＤ対物レンズ７に向けて反射するＢＤレーザ反射板４とを備える。さらに、波長板一体型反射板３のＣＤ・ＤＶＤ波長の光とＢＤ波長の光とが照射される面に、ＣＤ・ＤＶＤ波長の光に対して１／８波長の位相差を与えるとともにＢＤ波長の光に対して１／４波長の位相差を与える波長板３０２を備える。また、波長板３０２を透過したＣＤ・ＤＶＤ波長の光が、再度、波長板３０２を透過するように波長板一体型反射板３にＣＤ・ＤＶＤ波長の光を反射させるダイクロ膜コート３０４を備える。
【００５４】
このような構成によれば、ＣＤ・ＤＶＤ波長の光は１／８波長の位相差が与えられ、かつ、ダイクロ膜コート３０４によって反射される。さらに、ＣＤ・ＤＶＤ波長の光は、１／８波長の位相差が与えられた状態で、再度、波長板３０２を透過する。したがって、ＣＤ・ＤＶＤ波長の光は１／４波長の位相差が与えられ、円偏光になる。さらに、円偏光されたＣＤ・ＤＶＤ波長の光は、ＣＤ・ＤＶＤ対物レンズ６に送られる。一方、ＢＤ波長の光は、１／４波長の位相差が与えられ、円偏光になる。さらに円偏光されたＢＤ波長の光は、ＢＤレーザ反射板４によって、ＢＤ対物レンズ７に送られる。したがって、１／４波長板を対物レンズの近傍に取付けなくても、円偏光した光を対物レンズに送ることができる。
【００５５】
よって、例えばＢＤ、ＣＤのように複数の波長の光を使用する光ピックアップ装置１００において、対物レンズに円偏光させた光を送りつつ、薄型化、小型化を実現できる光ピックアップ装置１００を提供できる。
【００５６】
［９．他の実施の形態］
上述のように、本発明の実施の形態が例示された。しかし、本発明は、これには限られない。そこで本発明の他の実施の形態が、以下にまとめて説明される。なお、本発明は、これらには限定されない。つまり、本発明は、適宜修正された他の実施の形態に対しても適用され得る。
【００５７】
実施の形態において、ダイクロ膜コート３０４は基板３００において波長板３０２が形成された面と反対側の面に形成された例を示した。しかし本発明はこれには限られない。要するに、往路光が最初に波長板３０２に入射した後に配置されればよい。例えば、ダイクロ膜コート３０４は、波長板３０２と基板３００との間に形成されてもよい。さらに、ダイクロ膜コート３０４は基板３００の内部に形成されてもよい。この場合には、例えば、波長板３０２が形成された第１の基板と、ダイクロ膜コート３０４が形成された第２の基板を貼り合わせることなどにより、波長板一体型反射板３が形成される。このような構成においても、本発明の目的を達成することができる。
【００５８】
また、実施の形態において、光配向樹脂および液晶樹脂が塗布されることによって形成された波長板３０２が例示された。しかし本発明は、これには限られない。例えば、水晶の薄板を貼り合わせることによって形成されてもよい。このような構成においても、本発明の目的を達成することができる。
【００５９】
なお、実施の形態においては、第１の光としてＣＤ・ＤＶＤ波長の光を例示したが、ＣＤ波長の光のみでも、本発明の目的を達成することができる。
【産業上の利用可能性】
【００６０】
本発明によれば、例えばＢＤ、ＣＤのように複数の波長の光を使用する光ピックアップ装置において、対物レンズに円偏光させた光を送りつつ、薄型化、小型化を実現できる。したがって、本発明は、ノートブックパソコンなどに用いられる光ディスク装置などに広く有用である。
【符号の説明】
【００６１】
１，４０３    ＢＤレーザダイオード
２，４０１    ＣＤ・ＤＶＤレーザダイオード
３    波長板一体型反射板
４，４１０    ＢＤレーザ反射板
５    コリメータレンズ
６，４０８    ＣＤ・ＤＶＤ対物レンズ
７，４１２    ＢＤ対物レンズ
８    グレーティング素子
９    板型ビームスプリッタ
１０    ホログラム素子
１１，４１３    受光検出素子
１２，４０５    ビームスプリッタ
１３，４０９    光ディスク
１００    光ピックアップ装置
３００    基板
３０２    波長板
３０４    ダイクロ膜コート
４０２，４０４    光学部材
４０６    ＣＤ・ＤＶＤ反射板
４０７，４１１    光学部品
【図１】
2011134408.tif 000005
【図２】
2011134408.tif 000006
【図３】
2011134408.tif 000007
【図４】
2011134408.tif 000008